(57)【要約】【課題】近端クロストークを軽減することを可能とする。【解決手段】一対の信号線３を備えると共に１本のドレイン線９を備えている伝送ケーブル１をコネクタ１３に接続する際に、ドレイン線９を伝送ケーブル１の端面で切断し、端部の被覆材１１の一部を切断してドレイン線９の一部を露出してから、伝送ケーブル１を隣り合うグランドパッド１７の間隔に挿入して挟み込む。これと同時にドレイン線９の露出部を溝型接続部２１に嵌め込むことにより、溝型接続部２１とグランド線９とが容易に且つ確実に接続される。また、一対の信号線３が信号線接続用タブ２１の上下面に振り分けて接続される。ドレイン線９が上下方向のほぼ中央位置の溝型接続部２１に接続されるので、２つの信号線３からグランドへ流れる電流の経路が均一になり、近端クロストークが軽減される。【選択図】　　　図１
2004134128.tif 000002
【特許請求の範囲】
【請求項１】
一対の信号線と１本のドレイン線とを被覆材で被覆している伝送ケーブルを接続すべく、一対の信号線を上下に振り分けて接続する接続部を上下面に備えた信号線接続用タブと、前記ドレイン線を接続する接続部を設けたグランドパッドと、をそれぞれ複数個を並列に備えたコネクタにおいて、
前記複数個のグランドパッドが、互いに隣り合うグランドパッドの間で伝送ケーブルを挟み込み可能となる間隔を備えると共に、前記各グランドパッドの接続部が、各グランドパッドの前方側面の上下方向のほぼ中央に、伝送ケーブルの端部の被覆材から一部を露出せしめたドレイン線を嵌め込んで接続すべく前記グランドパッドの前方端面から後方に向けて設けた溝状をなす溝型接続部であることを特徴とするコネクタ。
【請求項２】
前記溝型接続部の内面に、突起部を設けてなることを特徴とする請求項１記載のコネクタ。
【請求項３】
一対の信号線と２本のドレイン線とを被覆材で被覆している伝送ケーブルを接続すべく、一対の信号線を上下に振り分けて接続する接続部を上下面に備えた信号線接続用タブと、前記ドレイン線を接続する接続部を設けたグランドパッドと、をそれぞれ複数個を並列に備えたコネクタにおいて、
前記複数個のグランドパッドが、互いに隣り合うグランドパッドの間で伝送ケーブルを挟み込み可能となる間隔を備えると共に、前記各グランドパッドの接続部が、互いに隣り合うグランドパッドの対向する前方側面の上下方向のほぼ中央に、伝送ケーブルの端部の被覆材から一部を露出せしめた２本のドレイン線を嵌め込んで接続すべく前記各グランドパッドの前方端面から後方に向けて設けた溝状をなす２つの溝型接続部であることを特徴とするコネクタ。
【請求項４】
前記溝型接続部の内面に、突起部を設けてなることを特徴とする請求項３記載のコネクタ。
【請求項５】
信号線を接続する信号線接続用タブとドレイン線を接続するグランドパッドとをそれぞれ複数個を間隔を介して並列に備えたコネクタに、一対の信号線と１本のドレイン線とを被覆材で被覆している伝送ケーブルを接続する伝送ケーブルの接続方法において、
前記ドレイン線を伝送ケーブルの端面で切断し、この伝送ケーブルの端部の被覆材の一部を切断してドレイン線の一部を露出せしめ、この伝送ケーブルを互いに隣り合うグランドパッドの間隔に挿入して挟み込むと共に、前記ドレイン線の露出した部分を、グランドパッドの前方側面の上下方向のほぼ中央に前記グランドパッドの前方端面から後方に向けた溝状をなす溝型接続部に嵌め込むことにより、前記溝型接続部とグランド線とを接続し、一対の信号線を信号線接続用タブの上下面に振り分けて接続することを特徴とする伝送ケーブルの接続方法。
【請求項６】
前記溝型接続部の内面に設けた突起部により、溝型接続部とドレイン線との接触力を高めることを特徴とする請求項５記載の伝送ケーブルの接続方法。
【請求項７】
信号線を接続する信号線接続用タブとドレイン線を接続するグランドパッドとをそれぞれ複数個を間隔を介して並列に備えたコネクタに、一対の信号線と２本のドレイン線とを被覆材で被覆している伝送ケーブルを接続する伝送ケーブルの接続方法において、
前記２本のドレイン線を伝送ケーブルの端面で切断し、この伝送ケーブルの端部の被覆材の一部を切断して前記２本のドレイン線の一部を露出せしめ、この伝送ケーブルを互いに隣り合うグランドパッドの間隔に挿入して挟み込むと共に、前記２本のドレイン線の露出した部分を、互いに隣り合うグランドパッドの対向する前方側面の上下方向のほぼ中央に前記グランドパッドの前方端面から後方に向けた溝状をなす２つの溝型接続部に嵌め込むことにより、前記２つの溝型接続部と２本のグランド線とを接続し、一対の信号線を信号線接続用タブの上下面に振り分けて接続することを特徴とする伝送ケーブルの接続方法。
【請求項８】
前記溝型接続部の内面に設けた突起部により、溝型接続部とドレイン線との接触力を高めることを特徴とする請求項７記載の伝送ケーブルの接続方法。
【請求項９】
信号線を接続する信号線接続用タブとドレイン線を接続するグランドパッドとをそれぞれ複数個を間隔を介して並列に備えたコネクタに、一対の信号線と１本のドレイン線とを被覆材で被覆している伝送ケーブルを接続する伝送ケーブルの接続構造において、
前記信号線接続用タブに、一対の信号線を上下に振り分けて接続する接続部を上下面に設け、前記複数個の互いに隣り合うグランドパッドの間に伝送ケーブルを嵌挿可能となる間隔を設け、前記各グランドパッドの前方側面の上下方向のほぼ中央に、伝送ケーブルの端部の被覆材から一部を露出せしめたドレイン線を嵌め込んで接続すべく前記各グランドパッドの前方端面から後方に向けて溝状をなす溝型接続部を設けてなることを特徴とする伝送ケーブルの接続構造。
【請求項１０】
前記溝型接続部の内面に、突起部を設けてなることを特徴とする請求項９記載の伝送ケーブルの接続構造。
【請求項１１】
信号線を接続する信号線接続用タブとドレイン線を接続するグランドパッドとをそれぞれ複数個を間隔を介して並列に備えたコネクタに、一対の信号線と２本のドレイン線とを被覆材で被覆している伝送ケーブルを接続する伝送ケーブルの接続構造において、
前記信号線接続用タブに、一対の信号線を上下に振り分けて接続する接続部を上下面に設け、前記複数個の互いに隣り合うグランドパッドの間に伝送ケーブルを嵌挿可能となる間隔を設け、互いに隣り合うグランドパッドの対向する前方側面の上下方向のほぼ中央に、伝送ケーブルの端部の被覆材から一部を露出せしめた２本のドレイン線を嵌め込んで接続すべく前記各グランドパッドの前方端面から後方に向けて溝状をなす２つの溝型接続部を設けてなることを特徴とする伝送ケーブルの接続構造。
【請求項１２】
前記溝型接続部の内面に、突起部を設けてなることを特徴とする請求項１１記載の伝送ケーブルの接続構造。
【発明の詳細な説明】
【０００１】
【発明の属する技術分野】
この発明は、伝送ケーブルとの接続に用いるコネクタ及びこのコネクタを用いた伝送ケーブルの接続方法並びにその接続構造に関する。
【０００２】
【従来の技術】
従来、コンピュータなどのサーバ間に使用する集合ケーブルがあり、通信信号などを大容量で瞬時に送信しても、受信及び送信が瞬時または同時にスムーズに行う場合などに用いられる。上記の集合ケーブルは多数の信号線又は信号線対を内周側から外周側へ複数層状に配置して構成される。なお、信号線とは外周に絶縁体からなる被覆材を被覆して構成されており、信号線対とは一対の信号線を平行に保持した２芯同軸ケーブル（ツイナックスと呼ばれている伝送ケーブル）である。
【０００３】
図１１を参照するに、伝送ケーブル１０１は１又は２本のドレイン線１０３が２本の信号線１０５にほぼ平行に添えられてシールドされており、この伝送ケーブル１０１が接続されるコネクタ１０７は２本の信号線１０５を接続するための信号線接続用タブ１０９と、ドレイン線１０３を接続するグランドとしてのグランドパッド１１１とが設けられている。
【０００４】
上記のコネクタ１０７への接続方法としては、２本の信号線１０５がそれぞれ１本ずつ信号線接続用タブ１０９の上下面に例えば半田付けで接続され、ドレイン線１０３はグランドパッド１１１の上下面のいずれか一方に例えば図１１では上面に半田付けで接続される。
【０００５】
【特許文献１】
特開２００１−６７９４号公報
【０００６】
【発明が解決しようとする課題】
ところで、従来のコネクタ１０７への接続方法においては、ドレイン線１０３の接続がグランドパッド１１１の片面のみであることから、図１２の点線で示されているように電流の流れる経路がグランドパッド１１１の上下面において長さが異なるために不均一であり、信号線１０５から発生する磁界がコネクタ１０７の上下面で異なり、ドレイン線１０３が接続されていない一方の被接続面からの近端クロストークが大きいという問題点があった。
【０００７】
また、ドレイン線１０３を半田付けする際に、スペースが小さいために作業性が悪いので、均一な半田付けをすることが難しい。そのために、伝送特性のバラツキが大きくなるという問題点があった。
【０００８】
また、各伝送ケーブル１０１のグランド電位を共通にするため、すべてのグランドパッド１１１のグランド同士を導通させる必要があるので複雑となり、伝送特性においても不安定な要因になり得るという問題点があった。
【０００９】
この発明は上述の課題を解決するためになされたもので、その目的は、近端クロストークを軽減することを可能にしたコネクタ及び伝送ケーブルの接続方法並びにその接続構造を提供することにある。
【００１０】
【課題を解決するための手段】
上記目的を達成するために請求項１によるこの発明のコネクタは、一対の信号線と１本のドレイン線とを被覆材で被覆している伝送ケーブルを接続すべく、一対の信号線を上下に振り分けて接続する接続部を上下面に備えた信号線接続用タブと、前記ドレイン線を接続する接続部を設けたグランドパッドと、をそれぞれ複数個を並列に備えたコネクタにおいて、
前記複数個のグランドパッドが、互いに隣り合うグランドパッドの間で伝送ケーブルを挟み込み可能となる間隔を備えると共に、前記各グランドパッドの接続部が、各グランドパッドの前方側面の上下方向のほぼ中央に、伝送ケーブルの端部の被覆材から一部を露出せしめたドレイン線を嵌め込んで接続すべく前記グランドパッドの前方端面から後方に向けて設けた溝状をなす溝型接続部であることを特徴とするものである。
【００１１】
したがって、伝送ケーブルが互いに隣り合うグランドパッドの間隔でぴったりと挟み込まれ、ドレイン線の露出面が溝型接続部の内面に押圧されるように接触して確実に接続される。ドレイン線がグランドパッドの上下方向のほぼ中央位置の溝型接続部に接続されることから、２つの信号線からグランドへ流れる電流の経路が上下対称に均一になるので近端クロストークが軽減され、コネクタ接続部における各信号線の特性インピーダンスの偏りが無くなる。
【００１２】
請求項２によるこの発明のコネクタは、請求項１記載のコネクタにおいて、前記溝型接続部の内面に、突起部を設けてなることを特徴とするものである。
【００１３】
したがって、突起部がドレイン線の露出部に押圧する状態で接触するので、ドレイン線と溝型接続部との接続の信頼性が向上する。
【００１４】
請求項３によるこの発明のコネクタは、一対の信号線と２本のドレイン線とを被覆材で被覆している伝送ケーブルを接続すべく、一対の信号線を上下に振り分けて接続する接続部を上下面に備えた信号線接続用タブと、前記ドレイン線を接続する接続部を設けたグランドパッドと、をそれぞれ複数個を並列に備えたコネクタにおいて、
前記複数個のグランドパッドが、互いに隣り合うグランドパッドの間で伝送ケーブルを挟み込み可能となる間隔を備えると共に、前記各グランドパッドの接続部が、互いに隣り合うグランドパッドの対向する前方側面の上下方向のほぼ中央に、伝送ケーブルの端部の被覆材から一部を露出せしめた２本のドレイン線を嵌め込んで接続すべく前記各グランドパッドの前方端面から後方に向けて設けた溝状をなす２つの溝型接続部であることを特徴とするものである。
【００１５】
したがって、伝送ケーブルが互いに隣り合うグランドパッドの間隔でぴったりと挟み込まれ、２本のドレイン線の露出面が隣り合うグランドパッドの２つの溝型接続部の内面に押圧されるように接触して確実に接続される。２本の各ドレイン線がグランドパッドの上下方向のほぼ中央位置の溝型接続部に接続されることから、２つの信号線からグランドへ流れる電流の経路が上下対称に均一になるので近端クロストークが軽減され、コネクタ接続部における各信号線の特性インピーダンスの偏りが無くなる。
【００１６】
また、２本のドレイン線が両隣のグランドパッドに接続されるので、コモングランド接続が容易であり、コネクタ内部でコモングランドにする必要がなく、余計なグランドの引き回しが不要になるのでコネクタ形状を簡略化することが可能であり、安定した伝送特性が得られる。
【００１７】
請求項４によるこの発明のコネクタは、請求項３記載のコネクタにおいて、前記溝型接続部の内面に、突起部を設けてなることを特徴とするものである。
【００１８】
したがって、突起部がドレイン線の露出部に押圧する状態で接触するので、ドレイン線と溝型接続部との接続の信頼性が向上する。
【００１９】
請求項５によるこの発明の伝送ケーブルの接続方法は、信号線を接続する信号線接続用タブとドレイン線を接続するグランドパッドとをそれぞれ複数個を間隔を介して並列に備えたコネクタに、一対の信号線と１本のドレイン線とを被覆材で被覆している伝送ケーブルを接続する伝送ケーブルの接続方法において、
前記ドレイン線を伝送ケーブルの端面で切断し、この伝送ケーブルの端部の被覆材の一部を切断してドレイン線の一部を露出せしめ、この伝送ケーブルを互いに隣り合うグランドパッドの間隔に挿入して挟み込むと共に、前記ドレイン線の露出した部分を、グランドパッドの前方側面の上下方向のほぼ中央に前記グランドパッドの前方端面から後方に向けた溝状をなす溝型接続部に嵌め込むことにより、前記溝型接続部とグランド線とを接続し、一対の信号線を信号線接続用タブの上下面に振り分けて接続することを特徴とするものである。
【００２０】
したがって、請求項１記載の作用と同様であり、伝送ケーブルが互いに隣り合うグランドパッドの間隔でぴったりと挟み込まれ、ドレイン線の露出面が溝型接続部の内面に押圧されるように接触して確実に接続される。ドレイン線がグランドパッドの上下方向のほぼ中央位置の溝型接続部に接続されることから、２つの信号線からグランドへ流れる電流の経路が上下対称に均一になるので近端クロストークが軽減され、コネクタ接続部における各信号線の特性インピーダンスの偏りが無くなる。
【００２１】
請求項６によるこの発明の伝送ケーブルの接続方法は、請求項５記載の伝送ケーブルの接続方法において、前記溝型接続部の内面に設けた突起部により、溝型接続部とドレイン線との接触力を高めることを特徴とするものである。
【００２２】
したがって、請求項２記載の作用と同様であり、突起部がドレイン線の露出部に押圧する状態で接触するので、ドレイン線と溝型接続部との接続の信頼性が向上する。
【００２３】
請求項７によるこの発明の伝送ケーブルの接続方法は、信号線を接続する信号線接続用タブとドレイン線を接続するグランドパッドとをそれぞれ複数個を間隔を介して並列に備えたコネクタに、一対の信号線と２本のドレイン線とを被覆材で被覆している伝送ケーブルを接続する伝送ケーブルの接続方法において、
前記２本のドレイン線を伝送ケーブルの端面で切断し、この伝送ケーブルの端部の被覆材の一部を切断して前記２本のドレイン線の一部を露出せしめ、この伝送ケーブルを互いに隣り合うグランドパッドの間隔に挿入して挟み込むと共に、前記２本のドレイン線の露出した部分を、互いに隣り合うグランドパッドの対向する前方側面の上下方向のほぼ中央に前記グランドパッドの前方端面から後方に向けた溝状をなす２つの溝型接続部に嵌め込むことにより、前記２つの溝型接続部と２本のグランド線とを接続し、一対の信号線を信号線接続用タブの上下面に振り分けて接続することを特徴とするものである。
【００２４】
したがって、請求項３記載の作用と同様であり、伝送ケーブルが互いに隣り合うグランドパッドの間隔でぴったりと挟み込まれ、２本のドレイン線の露出面が隣り合うグランドパッドの２つの溝型接続部の内面に押圧されるように接触して確実に接続される。２本の各ドレイン線がグランドパッドの上下方向のほぼ中央位置の溝型接続部に接続されることから、２つの信号線からグランドへ流れる電流の経路が上下対称に均一になるので近端クロストークが軽減され、コネクタ接続部における各信号線の特性インピーダンスの偏りが無くなる。
【００２５】
また、２本のドレイン線が両隣のグランドパッドに接続されるので、コモングランド接続が容易であり、コネクタ内部でコモングランドにする必要がなく、余計なグランドの引き回しが不要になるのでコネクタ形状を簡略化することが可能であり、安定した伝送特性が得られる。
【００２６】
請求項８によるこの発明の伝送ケーブルの接続方法は、請求項７記載の伝送ケーブルの接続方法において、前記溝型接続部の内面に設けた突起部により、溝型接続部とドレイン線との接触力を高めることを特徴とするものである。
【００２７】
したがって、請求項４記載の作用と同様であり、突起部がドレイン線の露出部に押圧する状態で接触するので、ドレイン線と溝型接続部との接続の信頼性が向上する。
【００２８】
請求項９によるこの発明の伝送ケーブルの接続構造は、信号線を接続する信号線接続用タブとドレイン線を接続するグランドパッドとをそれぞれ複数個を間隔を介して並列に備えたコネクタに、一対の信号線と１本のドレイン線とを被覆材で被覆している伝送ケーブルを接続する伝送ケーブルの接続構造において、
前記信号線接続用タブに、一対の信号線を上下に振り分けて接続する接続部を上下面に設け、前記複数個の互いに隣り合うグランドパッドの間に伝送ケーブルを嵌挿可能となる間隔を設け、前記各グランドパッドの前方側面の上下方向のほぼ中央に、伝送ケーブルの端部の被覆材から一部を露出せしめたドレイン線を嵌め込んで接続すべく前記各グランドパッドの前方端面から後方に向けて溝状をなす溝型接続部を設けてなることを特徴とするものである。
【００２９】
したがって、請求項１記載の作用と同様であり、伝送ケーブルが互いに隣り合うグランドパッドの間隔でぴったりと挟み込まれ、ドレイン線の露出面が溝型接続部の内面に押圧されるように接触して確実に接続される。ドレイン線がグランドパッドの上下方向のほぼ中央位置の溝型接続部に接続されることから、２つの信号線からグランドへ流れる電流の経路が上下対称に均一になるので近端クロストークが軽減され、コネクタ接続部における各信号線の特性インピーダンスの偏りが無くなる。
【００３０】
請求項１０によるこの発明の伝送ケーブルの接続構造は、請求項９記載の伝送ケーブルの接続構造において、前記溝型接続部の内面に、突起部を設けてなることを特徴とするものである。
【００３１】
したがって、請求項２記載の作用と同様であり、突起部がドレイン線の露出部に押圧する状態で接触するので、ドレイン線と溝型接続部との接続の信頼性が向上する。
【００３２】
請求項１１によるこの発明の伝送ケーブルの接続構造は、信号線を接続する信号線接続用タブとドレイン線を接続するグランドパッドとをそれぞれ複数個を間隔を介して並列に備えたコネクタに、一対の信号線と２本のドレイン線とを被覆材で被覆している伝送ケーブルを接続する伝送ケーブルの接続構造において、
前記信号線接続用タブに、一対の信号線を上下に振り分けて接続する接続部を上下面に設け、前記複数個の互いに隣り合うグランドパッドの間に伝送ケーブルを嵌挿可能となる間隔を設け、互いに隣り合うグランドパッドの対向する前方側面の上下方向のほぼ中央に、伝送ケーブルの端部の被覆材から一部を露出せしめた２本のドレイン線を嵌め込んで接続すべく前記各グランドパッドの前方端面から後方に向けて溝状をなす２つの溝型接続部を設けてなることを特徴とするものである。
【００３３】
したがって、請求項３記載の作用と同様であり、伝送ケーブルが互いに隣り合うグランドパッドの間隔でぴったりと挟み込まれ、２本のドレイン線の露出面が隣り合うグランドパッドの２つの溝型接続部の内面に押圧されるように接触して確実に接続される。２本の各ドレイン線がグランドパッドの上下方向のほぼ中央位置の溝型接続部に接続されることから、２つの信号線からグランドへ流れる電流の経路が上下対称に均一になるので近端クロストークが軽減され、コネクタ接続部における各信号線の特性インピーダンスの偏りが無くなる。
【００３４】
また、２本のドレイン線が両隣のグランドパッドに接続されるので、コモングランド接続が容易であり、コネクタ内部でコモングランドにする必要がなく、余計なグランドの引き回しが不要になるのでコネクタ形状を簡略化することが可能であり、安定した伝送特性が得られる。
【００３５】
請求項１２によるこの発明の伝送ケーブルの接続構造は、請求項１１記載の伝送ケーブルの接続構造において、前記溝型接続部の内面に、突起部を設けてなることを特徴とするものである。
【００３６】
したがって、請求項４記載の作用と同様であり、突起部がドレイン線の露出部に押圧する状態で接触するので、ドレイン線と溝型接続部との接続の信頼性が向上する。
【００３７】
【発明の実施の形態】
以下、この発明の実施の形態について図面を参照して説明する。
【００３８】
この実施の形態に係わる伝送ケーブルとしては、多数の信号線又は信号線対を内周側から外周側へ複数層状に配置して構成される集合伝送ケーブル（一般に、集合ケーブルという）であり、この伝送ケーブルに屈曲性を持たせるために上記の多数の信号線又は信号線対に撚りを加えながら集合されている。なお、信号線対とは一対の信号線をほぼ平行に保持したものである。
【００３９】
図５を参照するに、第１の実施の形態に係わる伝送ケーブル１は、導体としての信号線３の外周に絶縁体からなる被覆材５が被覆されて絶縁線７を構成しており、この絶縁線７のペア線が対撚りを施されると共にこのペア線に例えば１本のドレイン線９も一緒に撚られており、その外周は編みシールド（編み組）などの被覆材１１により被覆されている。なお、この被覆材１１の周囲に樹脂のジャケット層が被覆されているものもある。
【００４０】
図１を参照するに、この発明の第１の実施の形態のコネクタ１３及び上記の伝送ケーブル１をコネクタ１３に接続する場合の接続構造について説明すると、コネクタ１３には伝送ケーブル１の２本の信号線３を接続するための複数個の信号線接続用タブ１５と、ドレイン線９を接続するための複数個のグランドパッド１７とが図１において左右方向へ交互に並列して備えられている。
【００４１】
各信号線接続用タブ１５には、２本の信号線３を上下に振り分けて接続するための接続部１９Ａ，１９Ｂが上下面に設けられている。
【００４２】
また、上記の複数個のグランドパッド１７は、図２に示されているように互いに隣り合うグランドパッド１７の間で前述した伝送ケーブル１を挟み込み可能となる間隔Ｇ１を介して並列に設けられている。
【００４３】
さらに、各グランドパッド１７の前方側面には、上下方向のほぼ中央に位置してドレイン線９を接続する接続部としての例えば溝型接続部２１が設けられている。この溝型接続部２１はグランドパッド１７の前方端面から後方に向けて例えばプレス機で成形された溝状をなすものであり、伝送ケーブル１の端部の被覆材１１から一部を露出したドレイン線９の側面部分が嵌め込まれて接続可能な断面ほぼ半円形状Ｓと長さＬを有している。
【００４４】
なお、上記の溝型接続部２１は、隣り合うグランドパッド１７の対向する前方側面のいずれか一方に設けられていればよい。
【００４５】
また、上記の溝型接続部２１は、ドレイン線９が嵌め込まれたときに、溝型接続部２１とグランド線９の露出部分が程良い力で接続されるように構成されている。
【００４６】
例えば、図５において伝送ケーブル１の幅寸法Ｗが１．２ｍｍで、ドレイン線９の直径Ｄが０．３ｍｍである場合、互いに隣り合うグランドパッド１７の間隔Ｇ１は伝送ケーブル１の幅寸法Ｗよりも０．１〜０．２ｍｍほど小さく設けられ、０．８〜１．０ｍｍとされることにより、伝送ケーブル１が互いに隣り合うグランドパッド１７の間でぴったりと挟み込まれるように挿入される。
【００４７】
さらに、上記の溝型接続部２１は断面ほぼ半円形状Ｓがドレイン線９の直径Ｄより０．１〜０．２ｍｍほど小さく設けられ、半円形状Ｓの半径が０．０５〜０．１ｍｍとされることにより、ドレイン線９の接触面が溝型接続部２１の内面に押圧されるように接触して接続されることとなる。
【００４８】
なお、溝型接続部２１の長さＬは、例えばグランドパッド１７の前方端面から５ｍｍほどである。
【００４９】
また、溝型接続部２１の内面には、図３に示されているように突起部２３が設けられることにより、この突起部２３がドレイン線９の露出部に押圧する状態で接触するので、ドレイン線９と溝型接続部２１との接続の信頼性が向上することになる。なお、上記の突起部２３は溝型接続部２１の内面に１箇所であっても、あるいは複数箇所に設けられても構わない。また、突起部２３の形状としては図３に示されているように単に部分的に突出されるものであっても、溝型接続部２１の内面の底部に沿って長い突起形状であっても、あるいは他の形状であっても構わない。
【００５０】
なお、上記の溝型接続部２１は、例えばグランドパッド１７の前方側面にプレス成形加工により設けることができ、上記の突起部２３は前記プレス成形加工が行われるときに同時に設けることができる。
【００５１】
次に、上記のコネクタ１３に伝送ケーブル１を接続する方法について説明する。
【００５２】
先ず、予めドレイン線９は伝送ケーブル１の端面で切断される。この伝送ケーブル１は被覆材１１が図４の二点鎖線で示されているようにカッタナイフなどにより伝送ケーブル１の端部のドレイン線９のほぼ直上で伝送ケーブル１の端面から所定の長さで一部が切断される。次いで、この被覆材１１の切り込み部分から伝送ケーブル１の端部のドレイン線９がほぼ半円状の側面部分だけ露出される。この状態で伝送ケーブル１の端部が互いに隣り合うグランドパッド１７の間隔Ｇ１に挟み込まれるように挿入されると同時に、上記のドレイン線９の露出した部分がグランドパッド１７の前方側面の溝型接続部２１に嵌め込まれる。
【００５３】
上述したように、隣り合うグランドパッド１７の間隔Ｇ１が伝送ケーブル１の幅寸法Ｗよりも僅かに小さく、また溝型接続部２１の半円形状Ｓの半径がドレイン線９の直径Ｄより僅かに小さく設けられているので、伝送ケーブル１が互いに隣り合うグランドパッド１７でぴったりと挟み込まれ、且つドレイン線９の露出面が溝型接続部２１の内面に押圧されるように接触して確実に接続される。
【００５４】
次に、上記のようにドレイン線９が溝型接続部２１に接続された後に、図１の二点鎖線で示されているように伝送ケーブル１の２本の信号線３がそれぞれ１本ずつ信号線接続用タブ１５の上下面の接続部１９Ａ，１９Ｂに振り分けて例えば半田付けで接続される。なお、上記の２本の信号線３が程良い長さで信号線接続用タブ１５に接続されることによって、上記のドレイン線９と溝型接続部２１との接続がより一層簡単には外れなくなる。
【００５５】
したがって、ドレイン線９がグランドパッド２１の上下方向で対称に振り分ける位置の溝型接続部２１に接続されることより、２本の信号線３からグランド（ＧＮＤ）へ流れる電流の経路が均一になるので近端クロストークが軽減され、コネクタ接続部における各信号線３の特性インピーダンスの偏りを無くすることが可能となる。
【００５６】
なお、上述したように、伝送ケーブル１の端部のドレイン線９はほぼ半円状の側面部分だけが露出され、他の部分は被覆材１１で被覆される状態にされることにより、耐クロストーク性が保たれることになる。
【００５７】
次に、この発明の第２の実施の形態のコネクタ２５及び伝送ケーブル２７をコネクタ２５に接続する場合の接続方法及び接続構造について説明する。なお、第１の実施の形態と同様の部材は同符号にて説明する。
【００５８】
図１０を参照するに、第２の実施の形態に係わる伝送ケーブル２７は２本のドレイン線９が設けられていることが、第１の実施の形態の伝送ケーブル１と異なる点であり、それ以外は同じである。したがって、伝送ケーブル２７の構成部材としては、導体としての信号線３と被覆材５からなる一対の絶縁線７と、２本のドレイン線９と、その外周を被覆する被覆材１１である。
【００５９】
図６を参照するに、コネクタ２５及び伝送ケーブル２７の接続構造について説明すると、コネクタ２５は前述した第１の実施の形態のコネクタ１３とほぼ同様の構成であり、伝送ケーブル２７の２本のドレイン線９を接続するための２つの溝型接続部２９Ａ，２９Ｂが設けられていることが異なる点である。
【００６０】
つまり、複数個の各信号線接続用タブ１５には、２本の信号線３を上下に振り分けて接続するための接続部１９Ａ，１９Ｂが上下面に設けられている。
【００６１】
また、複数個のグランドパッド３１は、第１の実施の形態のグランドパッド１７と同様に、図７に示されているように互いに隣り合うグランドパッド３１の間で前述したように２本のドレイン線９を備えた伝送ケーブル２７を挟み込み可能となる間隔Ｇ２を介して並列に設けられている。
【００６２】
さらに、互いに隣り合うグランドパッド３１の対向する前方側面には、上下方向のほぼ中央に位置して２本のドレイン線９を接続する２つの接続部としての例えば２つの溝型接続部２９Ａ，２９Ｂが、伝送ケーブル２７の端部の被覆材１１から一部を露出した２本のドレイン線９の側面部分が嵌め込まれて接続されるように対向する位置に設けられている。なお、２つの各溝型接続部２９Ａ，２９Ｂは、第１の実施の形態の溝型接続部２１と同様の形態であるので、詳細な説明は省略する。
【００６３】
また、上記の溝型接続部２９Ａ，２９Ｂは、２本のドレイン線９が嵌め込まれたときに、２つの溝型接続部２９Ａ，２９Ｂと２本のグランド線９の露出部分が程良い力で接続されるように構成されている。例えば、第１の実施の形態の溝型接続部２１と同様に、図１０において伝送ケーブル２７の幅寸法Ｗが１．２ｍｍで、ドレイン線９の直径Ｄが０．３ｍｍである場合、互いに隣り合うグランドパッド３１の間隔Ｇ２は伝送ケーブル２７の幅寸法Ｗよりも０．１〜０．２ｍｍほど小さく設けられ、伝送ケーブル２７が互いに隣り合うグランドパッド３１の間でぴったりと挟み込まれるように挿入される。
【００６４】
さらに、２つの各溝型接続部２９Ａ，２９Ｂは、断面ほぼ半円形状Ｓがドレイン線９の直径Ｄより０．１〜０．２ｍｍほど小さく設けられ、ドレイン線９の接触面が溝型接続部２９Ａ，２９Ｂの内面に押圧されるように接触して接続されることとなる。なお、各溝型接続部２９Ａ，２９Ｂの長さＬは、例えばグランドパッド３１の前方端面から５ｍｍほどである。
【００６５】
また、各溝型接続部２９Ａ，２９Ｂの内面には、図８に示されているように第１の実施の形態と同様の突起部２３が設けられることにより、この突起部２３がドレイン線９の露出部に押圧する状態で接触するので、ドレイン線９と溝型接続部２９Ａ，２９Ｂとの接続の信頼性が向上することになる。
【００６６】
次に、上記のコネクタ２５に伝送ケーブル２７を接続する方法について説明する。
【００６７】
先ず、予め２つのドレイン線９は伝送ケーブル２７の端面で切断される。この伝送ケーブル２７は被覆材１１が図９の二点鎖線で示されているようにカッタナイフなどにより伝送ケーブル２７の端部の２本のドレイン線９のほぼ直上で伝送ケーブル２７の端面から所定の長さで一部が切断される。次いで、この被覆材１１の切り込み部分から前記２本のドレイン線９がほぼ半円状の側面部分だけ露出される。
【００６８】
この状態で伝送ケーブル２７の端部が互いに隣り合うグランドパッド３１の間隔Ｇ２にぴったりと挟み込まれるように挿入されると同時に、上記の２本のドレイン線９の露出面がグランドパッド３１の前方側面の２つの溝型接続部２９Ａ，２９Ｂの内面に押圧されるように接触して嵌め込まれ、確実に接続される。
【００６９】
次に、上記のように２本のドレイン線９が２つの溝型接続部２９Ａ，２９Ｂに接続された後に、図９の二点鎖線で示されているように伝送ケーブル２７の２本の信号線３がそれぞれ１本ずつ信号線接続用タブ１５の上下面の接続部１９Ａ，１９Ｂに振り分けて例えば半田付けで接続される。なお、上記の２本の信号線３が程良い長さで信号線接続用タブ１５に接続されることによって、上記の２本のドレイン線９と２つの溝型接続部２９Ａ，２９Ｂとの接続がより一層簡単には外れなくなる。
【００７０】
したがって、２本のドレイン線９が隣り合う２つの各グランドパッド２１の上下方向で対称に振り分ける位置の２つの溝型接続部２９Ａ，２９Ｂに接続されることより、２本の信号線３からグランド（ＧＮＤ）へ流れる電流の経路が均一になるので近端クロストークが軽減され、コネクタ接続部における各信号線３の特性インピーダンスの偏りを無くすることが可能となる。
【００７１】
また、前述した第１の実施の形態とは異なる点であるが、第２の実施の形態では２本のドレイン線９が両隣のグランドパッド２１に接続されるので、容易にコモングランド接続を行うことができ、コネクタ２５の内部でコモングランドにする必要がなく、余計なグランドの引き回しが不要になるのでコネクタ形状を簡略化することが可能であり、安定した伝送特性を得ることができる。
【００７２】
なお、この発明は前述した実施の形態に限定されることなく、適宜な変更を行うことによりその他の態様で実施し得るものである。
【００７３】
【発明の効果】
以上のごとき発明の実施の形態の説明から理解されるように、請求項１，５及び９の発明によれば、互いに隣り合うグランドパッドの間隔で伝送ケーブルをぴったりと挟み込むことができ、ドレイン線の露出面を溝型接続部の内面に押圧するように接触せしめて容易に且つ確実に接続できる。しかも、ドレイン線をグランドパッドの上下方向のほぼ中央位置の溝型接続部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００７４】
請求項２，６及び１０の発明によれば、突起部がドレイン線の露出部に押圧して接触することから、ドレイン線と溝型接続部との接続の信頼性を向上できる。
【００７５】
請求項３，７及び１１の発明によれば、互いに隣り合うグランドパッドの間隔で伝送ケーブルをぴったりと挟み込むことができ、２本のドレイン線の露出面を２つの溝型接続部の内面に押圧するように接触せしめて容易に且つ確実に接続できる。しかも、２本の各ドレイン線をグランドパッドの上下方向のほぼ中央位置の溝型接続部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００７６】
また、２本のドレイン線を両隣のグランドパッドに接続するので、容易にコモングランド接続を行うことができ、コネクタ内部でコモングランドにする必要がなく、余計なグランドの引き回しが不要になるのでコネクタ形状を簡略化でき、安定した伝送特性を得ることができる。
【００７７】
請求項４，８及び１２の発明によれば、突起部がドレイン線の露出部に押圧して接触することから、ドレイン線と溝型接続部との接続の信頼性を向上できる。
【図面の簡単な説明】
【図１】この発明の第１の実施の形態における伝送ケーブルのコネクタ接続状態を示す斜視図である。
【図２】この発明の第１の実施の形態における伝送ケーブルのコネクタ接続状態を示す概略的な正面図である。
【図３】この発明の第１の実施の形態におけるコネクタの他の例を示す斜視図である。
【図４】この発明の第１の実施の形態における伝送ケーブルのコネクタ接続前のドレイン線露出状態を示す斜視図である。
【図５】この発明の第１の実施の形態で用いられる伝送ケーブルの断面図である。
【図６】この発明の第２の実施の形態における伝送ケーブルのコネクタ接続状態を示す斜視図である。
【図７】この発明の第２の実施の形態における伝送ケーブルのコネクタ接続状態を示す概略的な正面図である。
【図８】この発明の第２の実施の形態におけるコネクタの他の例を示す斜視図である。
【図９】この発明の第２の実施の形態における伝送ケーブルのコネクタ接続前のドレイン線露出状態を示す斜視図である。
【図１０】この発明の第２の実施の形態で用いられる伝送ケーブルの断面図である。
【図１１】従来の伝送ケーブルのコネクタ接続状態を示す斜視図である。
【図１２】図１１のグランドパッドに流れる電流経路を示す斜視図である。
【符号の説明】
１　伝送ケーブル（第１の実施の形態の）
３　信号線
５　被覆材
７　絶縁線
９　ドレイン線
１１　被覆材
１３　コネクタ（第１の実施の形態の）
１５　信号線接続用タブ
１７　グランドパッド
１９Ａ，１９Ｂ　接続部
２１　溝型接続部（グランドパッド１７の接続部）
２３　突起部
２５　コネクタ（第２の実施の形態の）
２７　伝送ケーブル（第２の実施の形態の）
２９Ａ，２９Ｂ　溝型接続部（第２の実施の形態の）
３１　グランドパッド
Ｇ１　間隔（第１の実施の形態の）
Ｇ２　間隔（第２の実施の形態の）
Ｌ　溝型接続部２１，２９Ａ，２９Ｂの長さ
Ｓ　半円形状（溝型接続部２１，２９Ａ，２９Ｂの）
Ｗ　伝送ケーブル１，２７の幅寸法
Ｄ　ドレイン線９の直径
【図１】
2004134128.tif 000003
【図２】
2004134128.tif 000004
【図３】
2004134128.tif 000005
【図４】
2004134128.tif 000006
【図５】
2004134128.tif 000007
【図６】
2004134128.tif 000008
【図７】
2004134128.tif 000009
【図８】
2004134128.tif 000010
【図９】
2004134128.tif 000011
【図１０】
2004134128.tif 000012
【図１１】
2004134128.tif 000013
【図１２】
2004134128.tif 000014